(57)【特許請求の範囲】
【請求項１】
ＬＤＰＣ符号化−復号化機能を備えないスマート機器のアクセスを制御する方法であって、前記方法は端末に適用され、
無線ＬＡＮへのアクセスを要求するとき、自機とルータとの間で低密度パリティ検査符号（ＬＤＰＣ）符号化−復号化方式を用いて通信するか否かを検出するステップと、
自機と前記ルータとの間でＬＤＰＣ符号化−復号化方式を用いて通信することが確定できたときに、前記ルータとの接続の構築を停止するステップと、
スマート機器から前記ルータを介して前記無線ＬＡＮにアクセスするための前記無線ＬＡＮの情報を、非ＬＤＰＣ符号化−復号化方式でブロードキャストするステップと、を含むことを特徴とする方法。
【請求項２】
前記無線ＬＡＮの情報を受信した前記スマート機器から返答された報知メッセージを受信した後に、前記ルータとの接続を再構築するステップを、さらに含むことを特徴とする請求項１に記載の方法。
【請求項３】
前記無線ＬＡＮの情報を非ＬＤＰＣ符号化−復号化方式でブロードキャストするステップは、
８０２．１１ｎプロトコルに基づく１つの非ＬＤＰＣ符号化−復号化方式を選択し、選択した符号化−復号化方式で前記無線ＬＡＮの情報をブロードキャストする処理を含む、
ことを特徴とする請求項１に記載の方法。
【請求項４】
前記無線ＬＡＮの情報を非ＬＤＰＣ符号化−復号化方式でブロードキャストするステップは、
プロトコルを８０２．１１ｂ／ｇプロトコルに切り替えた後に、任意の１つの符号化−復号化方式を選択し、選択した符号化−復号化方式で前記無線ＬＡＮの情報をブロードキャストする処理を含む、ことを特徴とする請求項１に記載の方法。
【請求項５】
前記スマート機器が前記無線ＬＡＮの情報を受信した後に、前記無線ＬＡＮの情報に基づいて前記ルータと接続を構築するステップを、さらに含むことを特徴とする請求項１に記載の方法。
【請求項６】
ＬＤＰＣ符号化−復号化機能を備えないスマート機器のアクセスを制御する装置であって、前記装置は端末に適用され、
無線ＬＡＮへのアクセスを要求するとき、自機とルータとの間で低密度パリティ検査符号（ＬＤＰＣ）符号化−復号化方式を用いて通信するか否かを検出するための検出モジュールと、
自機と前記ルータとの間でＬＤＰＣ符号化−復号化方式を用いて通信することが確定できたときに、前記ルータとの接続の構築を停止するための制御モジュールと、
スマート機器から前記ルータを介して前記無線ＬＡＮにアクセスするための前記無線ＬＡＮの情報を、非ＬＤＰＣ符号化−復号化方式でブロードキャストするためのブロードキャストモジュールと、を含むことを特徴とする装置。
【請求項７】
前記無線ＬＡＮの情報を受信した前記スマート機器から返答された報知メッセージを受信した後に、前記ルータとの接続を再構築するためのアクセスモジュールを、さらに含むことを特徴とする請求項６に記載の装置。
【請求項８】
前記ブロードキャストモジュールは、
８０２．１１ｎプロトコルに基づく１つの非ＬＤＰＣ符号化−復号化方式を選択し、選択した符号化−復号化方式で前記無線ＬＡＮの情報をブロードキャストするための第１ブロードキャストサブモジュールを含む、ことを特徴とする請求項６に記載の装置。
【請求項９】
前記ブロードキャストモジュールは、
プロトコルを８０２．１１ｂ／ｇプロトコルに切り替えた後に、任意の１つの符号化−復号化方式を選択し、選択した符号化−復号化方式で前記無線ＬＡＮの情報をブロードキャストするための第２ブロードキャストサブモジュールを含む、ことを特徴とする請求項６に記載の装置。
【請求項１０】
ＬＤＰＣ符号化−復号化機能を備えないスマート機器のアクセスを制御する端末であって、
プロセッサと、プロセッサが実行可能なコマンドを記憶するメモリと、を含み、
前記プロセッサは、
無線ＬＡＮへのアクセスを要求するとき、自機とルータとの間で低密度パリティ検査符号（ＬＤＰＣ）符号化−復号化方式を用いて通信するか否かを検出し、
自機と前記ルータとの間でＬＤＰＣ符号化−復号化方式を用いて通信することが確定できたときに、前記ルータとの接続の構築を停止し、
スマート機器から前記ルータを介して前記無線ＬＡＮにアクセスするための前記無線ＬＡＮの情報を、非ＬＤＰＣ符号化−復号化方式でブロードキャストするように構成されている、
ことを特徴とする端末。
【請求項１１】
プロセッサに実行されることにより、請求項１から請求項５のいずれかに記載の方法を実現することを特徴とするプログラム。
【請求項１２】
請求項１１に記載のプログラムが記録された記録媒体。
【発明の詳細な説明】
【技術分野】
【０００１】
本願は、出願番号２０１５１０１８８４９０．７、出願日２０１５年４月２０日である中国特許出願に基づいて提出されるものであり、当該中国特許出願の優先権を主張する。ここで、当該中国特許出願の全ての内容は、参考として本願に組み込まれるものとする。
【０００２】
本発明は無線通信分野に関し、特にスマート機器のアクセスを制御する方法および装置、プログラム及び記録媒体に関する。
【背景技術】
【０００３】
低密度パリティ検査符号（Ｌｏｗ  Ｄｅｎｓｉｔｙ  Ｐａｒｉｔｙ  Ｃｈｅｃｋ  Ｃｏｄｅ；略称：ＬＤＰＣ）は、疎検査行列を有する線性セット符号として、シャノン（Ｓｈａｎｎｏｎ）限界に迫る優れた性能を備えるだけではなく、復号化の複雑さが低く、柔軟的な構成を有するため、近年のチャネル符号化の分野では盛んに研究されている。
【０００４】
ＬＤＰＣ符号化は、用いれば無線通信レートの高速化に有効であるため、選択してもよい符号化方式として８０２．１１ｎに導入されている。一部の高性能のルータおよびスマートフォンでは、このような符号化方式がサポートされている。ＬＤＰＣ符号化方式をサポートする携帯電話が、ＬＤＰＣ符号化をサポートするルータに接続する際は、両者が関連するプロセスにおいて協議し、ＬＤＰＣ符号化方式を用いて後に続くデータ通信を行うことで、無線通信の効率が向上する。
【発明の概要】
【発明が解決しようとする課題】
【０００５】
上記に鑑み、本発明は、ＬＤＰＣ符号化機能を備えないスマート機器のアクセスを実現する、スマート機器のアクセスを制御する方法および装置、プログラム及び記録媒体を提供する。
【課題を解決するための手段】
【０００６】
本発明に係る実施例の第１態様によれば、スマート機器のアクセスを制御する方法であって、
無線ＬＡＮへのアクセスを要求するとき、自機とルータとの間で低密度パリティ検査符号（ＬＤＰＣ）符号化−復号化方式を用いて通信するか否かを検出するステップと、
自機と前記ルータとの間でＬＤＰＣ符号化−復号化方式を用いて通信することが確定できたに、前記ルータとの接続の構築を停止するステップと、
スマート機器から前記ルータを介して前記無線ＬＡＮにアクセスするための前記無線ＬＡＮの情報を、非ＬＤＰＣ符号化−復号化方式でブロードキャストするステップと、を含む方法を提供する。
【０００７】
また、選択可能な態様として、前記方法は、
前記無線ＬＡＮの情報を受信した前記スマート機器から返答された報知メッセージを受信した後に、前記ルータとの接続を再構築するステップを、さらに含む。
【０００８】
また、選択可能な態様として、前記無線ＬＡＮの情報を非ＬＤＰＣ符号化−復号化方式でブロードキャストするステップは、
８０２．１１ｎプロトコルに基づく１つの非ＬＤＰＣ符号化−復号化方式を選択し、選択した符号化−復号化方式で前記無線ＬＡＮの情報をブロードキャストする処理を含む。
【０００９】
また、選択可能な態様として、前記無線ＬＡＮの情報を非ＬＤＰＣ符号化−復号化方式でブロードキャストするステップは、
プロトコルを８０２．１１ｂ／ｇプロトコルに切り替えた後に任意の１つの符号化−復号化方式を選択し、選択した符号化−復号化方式で前記無線ＬＡＮの情報をブロードキャストする処理を含む。
【００１０】
また、選択可能な態様として、前記方法は、
前記スマート機器が前記無線ＬＡＮの情報を受信した後に前記無線ＬＡＮの情報に基づいて前記ルータと接続を構築するステップを、さらに含む。
【００１１】
本発明に係る実施例の第２態様によれば、スマート機器のアクセスを制御する装置であって、
無線ＬＡＮへのアクセスを要求するとき、自機とルータとの間で低密度パリティ検査符号（ＬＤＰＣ）符号化−復号化方式を用いて通信するか否かを検出するための検出モジュールと、
自機と前記ルータとの間でＬＤＰＣ符号化−復号化方式を用いて通信することが確定できたときに、前記ルータとの接続の構築を停止するための制御モジュールと、
スマート機器から前記ルータを介して前記無線ＬＡＮにアクセスするための前記無線ＬＡＮの情報を、非ＬＤＰＣ符号化−復号化方式でブロードキャストするためのブロードキャストモジュールと、を含む装置を提供する。
【００１２】
また、選択可能な態様として、前記装置は、
前記無線ＬＡＮの情報を受信した前記スマート機器から返答された報知メッセージを受信した後に、前記ルータとの接続を再構築するためのアクセスモジュール、さらに含む。
【００１３】
また、選択可能な態様として、前記ブロードキャストモジュールは、
８０２．１１ｎプロトコルに基づく１つの非ＬＤＰＣ符号化−復号化方式を選択し、選択した符号化−復号化方式で前記無線ＬＡＮの情報をブロードキャストするための第１ブロードキャストサブモジュールを含む。
【００１４】
また、選択可能な態様として、前記ブロードキャストモジュール包括：
プロトコルを８０２．１１ｂ／ｇプロトコルに切り替えた後に任意の１つの符号化−復号化方式を選択し、選択した符号化−復号化方式で前記無線ＬＡＮの情報をブロードキャストするための第２ブロードキャストサブモジュールを含む。
【００１５】
本発明に係る実施例の第三態様によれば、スマート機器のアクセスを制御する装置であって、プロセッサと、プロセッサが実行可能なコマンドを記憶するメモリと含み、
前記プロセッサは、
無線ＬＡＮへのアクセスを要求するとき、自機とルータとの間で低密度パリティ検査符号（ＬＤＰＣ）符号化−復号化方式を用いて通信するか否かを検出し、
自機と前記ルータとの間でＬＤＰＣ符号化−復号化方式を用いて通信することが確定できたときに、前記ルータとの接続の構築を停止し、
スマート機器から前記ルータを介して前記無線ＬＡＮにアクセスするための前記無線ＬＡＮの情報を、非ＬＤＰＣ符号化−復号化方式でブロードキャストするように構成されている、装置を提供する。
【００１６】
本発明のその他の態様は、
プロセッサに実行されることにより、前記方法を実現することを特徴とするプログラムを提供する。
【００１７】
本発明のその他の態様は、
前記プログラムが記録された記録媒体を提供する。
【発明の効果】
【００１８】
本発明に係る実施例で提供される技術的構成によれば、次の有益な効果を奏する。すなわち、無線ＬＡＮへのアクセスを要求するとき、自機とルータとの間で低密度パリティ検査符号（ＬＤＰＣ）符号化−復号化方式を用いて通信するか否かを検出し、自機と前記ルータとの間でＬＤＰＣ符号化−復号化方式を用いて通信することが確定できたときに、前記ルータとの接続の構築を停止すると共に、スマート機器から前記ルータを介して前記無線ＬＡＮにアクセスするための前記無線ＬＡＮの情報を、非ＬＤＰＣ符号化−復号化方式でブロードキャストする。これにより、ＬＤＰＣ符号化機能を備えないスマート機器でもルータを介して無線ＬＡＮにアクセスすることが可能となり、スマート機器が受信したＬＤＰＣ符号化方式のブロードキャスト報知メッセージを識別できないためにアクセスが失敗することを回避できる。
【００１９】
なお、以上の基本的な説明および後述の詳細な記載は、単に例示的および説明的なものであり、本発明を限定するものではないと理解されるべきである。
【図面の簡単な説明】
【００２０】
ここでの図面は、明細書に組み込まれて明細書の一部を構成し、本発明に合致する実施例を示すと共に、明細書と併せて本発明の原理の解釈に用いられるものである。
【００２１】
【図１】例示的な一実施例に係る、スマート機器のアクセスを制御する方法を示すフローチャートである。
【図２】例示的な別の実施例に係る、スマート機器のアクセスを制御する方法を示すフローチャートである。
【図３】例示的な別の実施例に係る、スマート機器のアクセスを制御する方法を示すフローチャートである。
【図４】例示的な別の実施例に係る端末のインターフェース表示を示す模式図である。
【図５】例示的な別の実施例に係る、スマート機器のアクセスを制御する装置を示すブロック図である。
【図６】例示的な別の実施例に係る、スマート機器のアクセスを制御する装置を示すブロック図である。
【図７】例示的な別の実施例に係る、スマート機器のアクセスを制御する装置を示すブロック図である。
【図８】例示的な別の実施例に係る、スマート機器のアクセスを制御する装置を示すブロック図である。
【図９】例示的な別の実施例に係る、スマート機器のアクセスを制御する装置を示すブロック図である。
【図１０】例示的な別の実施例に係る、スマート機器のアクセスを制御する装置を示すブロック図である。
【発明を実施するための形態】
【００２２】
以下は、図面に示される例示的な実施例を詳細に説明する。なお、以下の記載が図面に関する場合、特に説明しない限り、異なる図面における同一番号は、同一または類似の要素を示す。また、以下の例示的な実施例に記載される実施形態は、本発明に一致する全ての実施形態を代表するものではない。逆に、これら例示的な実施例は、添付された特許請求の範囲に詳細に記載される、本発明の一部の局面に一致する装置及び方法の例にすぎない。
【００２３】
図１は例示的な一実施例に係る、スマート機器のアクセスを制御する方法を示すフローチャートである。図１に示すように、該方法は端末に適用される方法であって、次のステップを含む。
【００２４】
ステップＳ１１では、無線ローカル・エリア・ネットワーク（ＬＡＮ）へのアクセスを要求するとき、自機とルータとの間で低密度パリティ検査符号（ＬＤＰＣ）符号化−復号化方式を用いて通信するか否かを検出する。
【００２５】
ステップＳ１２では、自機と該ルータとの間でＬＤＰＣ符号化−復号化方式を用いて通信することが確定できたときに、該ルータとの接続の構築を停止する。
【００２６】
ステップＳ１３では、スマート機器から該ルータを介して該無線ＬＡＮにアクセスするための該無線ＬＡＮの情報を、非ＬＤＰＣ符号化−復号化方式でブロードキャストする。
【００２７】
本実施例における前記端末は、携帯電話、ノート型コンピュータ、タブレットコンピュータなどを含むが、これらに限定されない。前記端末、ルータおよびスマート機器は、共に同一の無線ＬＡＮ内に存在する。ルータはアクセスされる機器である。端末およびスマート機器は、該ルータを介して該無線ＬＡＮにアクセスし、さらにインターネットにアクセスすることができる。前記スマート機器は、テレビ、冷蔵庫、電子レンジ、カメラなどを含むが、これらに限定されない。
【００２８】
なお、無線ＬＡＮの情報には、無線ＬＡＮの識別子および暗証番号が含まれるが、これらに限定されない。また、該識別子は、サービスセットＩＤ（Ｓｅｒｖｉｃｅ  Ｓｅｔ  Ｉｄｅｎｔｉｆｉｅｒ；略称：ＳＳＩＤ）であってもよく、例えばＬＡＮの名称として「ＤＬＩＮＫ１」などである。
【００２９】
なお、前記スマート機器は、該無線ＬＡＮの情報を受信した後、該無線ＬＡＮの情報に基づいてルータとの接続構築を請求し、接続が成功した後に該ルータを介してインターネットにアクセスしてもよい。
【００３０】
本実施例における選択可能な態様として、該方法は、さらに、
該無線ＬＡＮの情報を受信した該スマート機器から返答された報知メッセージを受信した後に、該ルータとの接続を再構築するステップを含む。
【００３１】
本実施例における選択可能な態様として、該無線ＬＡＮの情報を非ＬＤＰＣ符号化−復号化方式でブロードキャストするステップは、
８０２．１１ｎプロトコルに基づく１つの非ＬＤＰＣ符号化−復号化方式を選択し、選択した符号化−復号化方式で該無線ＬＡＮの情報をブロードキャストする処理を含む。
【００３２】
また、本実施例における選択可能な態様として、該無線ＬＡＮの情報を非ＬＤＰＣ符号化−復号化方式でブロードキャストするステップは、
プロトコルを８０２．１１ｂ／ｇプロトコルに切り替えた後に任意の１つの符号化−復号化方式を選択し、選択した符号化−復号化方式で該無線ＬＡＮの情報をブロードキャストする処理を含む。
【００３３】
本実施例における選択可能な態様として、該方法は、さらに、
該スマート機器が、該無線ＬＡＮの情報を受信した後に、該無線ＬＡＮの情報に基づいて該ルータと接続を構築するステップを含む。
【００３４】
本実施例で提供される上記方法によれば、無線ＬＡＮへのアクセスを要求するとき、自機とルータとの間で低密度パリティ検査符号（ＬＤＰＣ）符号化−復号化方式を用いて通信するか否かを検出し、自機と前記ルータとの間でＬＤＰＣ符号化−復号化方式を用いて通信することが確定できたときに、前記ルータとの接続の構築を停止すると共に、スマート機器から前記ルータを介して前記無線ＬＡＮにアクセスするための前記無線ＬＡＮの情報を、非ＬＤＰＣ符号化−復号化方式でブロードキャストする。これにより、ＬＤＰＣ符号化機能を備えないスマート機器でもルータを介して無線ＬＡＮにアクセスすることが可能となり、スマート機器が受信したＬＤＰＣ符号化方式のブロードキャスト報知メッセージを識別できないためにアクセスが失敗することを回避できる。
【００３５】
図２は例示的な別の実施例に係る、スマート機器のアクセスを制御する方法を示すフローチャートである。図２に示すように、該方法は端末に適用される方法であって、次のステップを含む。
【００３６】
ステップＳ２１では、無線ＬＡＮへのアクセスを要求するとき、自機とルータとの間で低密度パリティ検査符号（ＬＤＰＣ）符号化−復号化方式を用いて通信するか否かを検出する。
【００３７】
ステップＳ２２では、自機と該ルータとの間でＬＤＰＣ符号化−復号化方式を用いて通信することが確定できたときに、該ルータとの接続の構築を停止する。
【００３８】
なお、ルータとの接続の構築を停止するのは、ＬＤＰＣ符号化−復号化方式でルータと接続を構築した以降、通常ではルータがＬＤＰＣ符号化−復号化方式でスマート機器と通信することをデフォルトとして実行してしまうのを避けるためである。スマート機器がＬＤＰＣ符号化−復号化方式をサポートしていなければ、ルータにアクセスすることができなくなる。故に、ルータとの接続構築を一旦停止し、スマート機器に受信、解析されることが可能なように該無線ＬＡＮの情報を端末がブロードキャストする。
【００３９】
ステップＳ２３では、スマート機器から該ルータを介して該無線ＬＡＮにアクセスするための該無線ＬＡＮの情報を、非ＬＤＰＣ符号化−復号化方式でブロードキャストする。
【００４０】
本実施例における選択可能な態様として、該無線ＬＡＮの情報を非ＬＤＰＣ符号化−復号化方式でブロードキャストするステップは、
８０２．１１ｎプロトコルに基づく１つの非ＬＤＰＣ符号化−復号化方式を選択し、選択した符号化−復号化方式で該無線ＬＡＮの情報をブロードキャストする処理を含む。
【００４１】
本実施例における選択可能な態様として、該無線ＬＡＮの情報を非ＬＤＰＣ符号化−復号化方式でブロードキャストするステップは、
プロトコルを８０２．１１ｂ／ｇプロトコルに切り替えた後に任意の１つの符号化−復号化方式を選択し、選択した符号化−復号化方式で該無線ＬＡＮの情報をブロードキャストする処理を含む。
【００４２】
ステップＳ２４では、該無線ＬＡＮの情報を受信した該スマート機器から返答された報知メッセージを受信した後に、該ルータとの接続を再構築する。
【００４３】
スマート機器は、端末からブロードキャストされた報知メッセージを受信した後、該無線ＬＡＮの情報を確かに受信した旨を端末に通知する報知メッセージを、端末に返答する。また、端末は、該無線ＬＡＮの情報がスマート機器に受信されたことを把握した後、ルータと接続を構築してもよい。このとき、当該接続の符号化−復号化方式は特に限定しない。端末は、ＬＤＰＣ符号化−復号化方式を用いて接続を構築し、接続が成功した後にルータを介してインターネットにアクセスしてもよい。
【００４４】
通常、ＬＤＰＣ符号化−復号化の機能を有するスマート機器もあれば、ＬＤＰＣ符号化−復号化の機能を有さないスマート機器もあるが、本実施例におけるスマート機器とは、ＬＤＰＣ符号化−復号化機能を有さないスマート機器を指す。スマート機器は、端末が非ＬＤＰＣ符号化方式で無線ＬＡＮの情報をブロードキャストする場合において、無線ＬＡＮの情報を受信、解析し、さらにルータと接続を構築することができる。そうでなければ、スマート機器はルータにアクセスできず、接続の失敗となる。
【００４５】
本実施例における選択可能な態様として、上記方法は、さらに、
該スマート機器が、該無線ＬＡＮの情報を受信した後に、該無線ＬＡＮの情報に基づいて該ルータと接続を構築するステップを含む。
【００４６】
本実施例で提供される上記方法によれば、無線ＬＡＮへのアクセスを要求するとき、自機とルータとの間で低密度パリティ検査符号（ＬＤＰＣ）符号化−復号化方式を用いて通信するか否かを検出し、自機と前記ルータとの間でＬＤＰＣ符号化−復号化方式を用いて通信することが確定できたときに、前記ルータとの接続の構築を停止すると共に、スマート機器から前記ルータを介して前記無線ＬＡＮにアクセスするための前記無線ＬＡＮの情報を非ＬＤＰＣ符号化−復号化方式でブロードキャストし、該無線ＬＡＮの情報を受信した該スマート機器から返答された報知メッセージを受信した後に該ルータとの接続を再構築する。これにより、ＬＤＰＣ符号化機能を備えないスマート機器でもルータを介して無線ＬＡＮにアクセスすることが可能となり、スマート機器が受信したＬＤＰＣ符号化方式のブロードキャスト報知メッセージを識別できないためにアクセスが失敗することを回避できる。
【００４７】
図３は例示的な別の実施例に係る、スマート機器のアクセスを制御する方法を示すフローチャートである。図３に示すように、該方法は端末に適用される方法であって、次のステップを含む。
【００４８】
ステップＳ３１では、無線ＬＡＮへのアクセスを要求するとき、自機とルータとの間で低密度パリティ検査符号（ＬＤＰＣ）符号化−復号化方式を用いて通信するか否かを検出する。
【００４９】
図４を参照する。図４は端末のインターフェース表示を示す模式図である。ここで、ユーザはアクセスしたい無線ＬＡＮを１つ選択し、その下方の枠内に該無線ＬＡＮの暗証番号を入力した後に、「次へ」ボタンをクリックすることをトリガーとして、該無線ＬＡＮへのアクセスを要求することができる。
【００５０】
ステップＳ３２では、自機と該ルータとの間でＬＤＰＣ符号化−復号化方式を用いて通信することが確定できたときに、該ルータとの接続の構築を停止する。
【００５１】
ステップＳ３３では、８０２．１１ｎプロトコルに基づく１つの非ＬＤＰＣ符号化−復号化方式を選択するか、或いは、プロトコルを８０２．１１ｂ／ｇプロトコルに切り替えた後に任意の１つの符号化−復号化方式を選択する。
【００５２】
なお、８０２.１１ｂ／ｇプロトコルにはＬＤＰＣ符号化−復号化方式が含まれていないため、端末およびスマート機器が８０２.１１ｂ／ｇプロトコルを用いる場合には、該８０２.１１ｂ／ｇプロトコルに基づく任意の１つの符号化−復号化方式、すなわち非ＬＤＰＣ符号化−復号化方式を用いればよい。
【００５３】
ステップＳ３４では、スマート機器から該ルータを介して該無線ＬＡＮにアクセスするための該無線ＬＡＮの情報を、選択された符号化−復号化方式でブロードキャストする。
【００５４】
本実施例における選択可能な態様として、該方法は、さらに、
該無線ＬＡＮの情報を受信した該スマート機器から返答された報知メッセージを受信した後に、該ルータとの接続を再構築するステップを含む。
【００５５】
また、本実施例における選択可能な態様として、該方法は、さらに、
該スマート機器が、該無線ＬＡＮの情報を受信した後に、該無線ＬＡＮの情報に基づいて該ルータと接続を構築するステップを含む。
【００５６】
本実施例で提供される上記方法によれば、無線ＬＡＮへのアクセスを要求するとき、自機とルータとの間で低密度パリティ検査符号（ＬＤＰＣ）符号化−復号化方式を用いて通信するか否かを検出し、自機と該ルータとの間でＬＤＰＣ符号化−復号化方式を用いて通信することが確定できたときに、該ルータとの接続の構築を停止すると共に、８０２．１１ｎプロトコルに基づく１つの非ＬＤＰＣ符号化−復号化方式を選択するか、或いはプロトコルを８０２．１１ｂ／ｇプロトコルに切り替えた後に任意の１つの符号化−復号化方式を選択し、スマート機器から該ルータを介して該無線ＬＡＮにアクセスするための該無線ＬＡＮの情報を、選択された符号化−復号化方式でブロードキャストする。これにより、ＬＤＰＣ符号化機能を備えないスマート機器でもルータを介して無線ＬＡＮにアクセスすることが可能となり、スマート機器が受信したＬＤＰＣ符号化方式のブロードキャスト報知メッセージを識別できないためにアクセスが失敗することを回避できる。
【００５７】
図５は例示的な別の実施例に係る、スマート機器のアクセスを制御する装置を示すブロック図である。図５を参照すると、該装置は、検出モジュール１２１、制御モジュール１２２およびブロードキャストモジュール１２３を含む。
【００５８】
検出モジュール１２１は、無線ＬＡＮへのアクセスを要求するとき、自機とルータとの間で低密度パリティ検査符号（ＬＤＰＣ）符号化−復号化方式を用いて通信するか否かを検出するように構成されている。
【００５９】
制御モジュール１２２は、自機と該ルータとの間でＬＤＰＣ符号化−復号化方式を用いて通信することが確定できたときに、該ルータとの接続の構築を停止するように構成されている。
【００６０】
ブロードキャストモジュール１２３は、スマート機器から該ルータを介して該無線ＬＡＮへアクセスできるような該無線ＬＡＮの情報を、非ＬＤＰＣ符号化−復号化方式でブロードキャストするように構成されている。
【００６１】
図６を参照すると、本実施例において選択可能な態様として、該装置は、
該無線ＬＡＮの情報を受信した該スマート機器から返答された報知メッセージを受信した後に、該ルータとの接続を再構築するように構成されたアクセスモジュール１２４を、さらに含む。
【００６２】
図７を参照すると、本実施例における選択可能な態様として、該ブロードキャストモジュール１２３は、
８０２．１１ｎプロトコルに基づく１つの非ＬＤＰＣ符号化−復号化方式を選択し、選択した符号化−復号化方式で該無線ＬＡＮの情報をブロードキャストする、ように構成された第１ブロードキャストサブモジュール１２３ａを、含む。
【００６３】
図８を参照すると、本実施例における選択可能な態様として、該ブロードキャストモジュール１２３は、
プロトコルを８０２．１１ｂ／ｇプロトコルに切り替えた後に任意の１つの符号化−復号化方式を選択し、選択した符号化−復号化方式で該無線ＬＡＮの情報をブロードキャストする、ように構成された第２ブロードキャストサブモジュール１２３ｂを、含む。
【００６４】
本実施例で提供される上記装置によれば、無線ＬＡＮへのアクセスを要求するとき、自機とルータとの間で低密度パリティ検査符号（ＬＤＰＣ）符号化−復号化方式を用いて通信するか否かを検出し、自機と前記ルータとの間ＬＤＰＣ符号化−復号化方式を用いて通信することが確定できたときに、前記ルータとの接続の構築を停止すると共に、スマート機器から前記ルータを介して前記無線ＬＡＮにアクセスするための前記無線ＬＡＮの情報を、非ＬＤＰＣ符号化−復号化方式でブロードキャストする。これにより、ＬＤＰＣ符号化機能を備えないスマート機器でもルータを介して無線ＬＡＮにアクセスすることが可能となり、スマート機器が受信したＬＤＰＣ符号化方式のブロードキャスト報知メッセージを識別できないためにアクセスが失敗することを回避できる。
【００６５】
図９は例示的な別の実施例に係る、スマート機器のアクセスを制御する装置を示すブロック図である。図９を参照すると、該装置は、プロセッサ６０１と、プロセッサが実行可能なコマンドを記憶するメモリ６０２と、を含み、
該プロセッサ６０１は、
無線ＬＡＮへのアクセスを要求するとき、自機とルータとの間で低密度パリティ検査符号（ＬＤＰＣ）符号化−復号化方式を用いて通信するか否かを検出し、
自機と該ルータとの間でＬＤＰＣ符号化−復号化方式を用いて通信することが確定できたときに、該ルータとの接続の構築を停止し、
スマート機器から該ルータを介して該無線ＬＡＮにアクセスするための該無線ＬＡＮの情報を非ＬＤＰＣ符号化−復号化方式でブロードキャストする、ように構成されている。
【００６６】
図１０は例示的な別の実施例に係る、スマート機器のアクセスを制御する装置８００を示すブロック図である。装置８００は、例えば携帯電話、コンピュータ、デジタルブロードキャスト端末、メッセージ送受信機器、ゲーム操作プラットフォーム、タブレット機器、医療機器、健康機器、ＰＤＡ（Ｐｅｒｓｏｎａｌ  Ｄｉｇｉｔａｌ  Ａｓｓｉｓｔａｎｔ）などである。
【００６７】
図１０を参照すると、装置８００は、プロセッサアセンブリ８０２、メモリ８０４、電源アセンブリ８０６、マルチメディアアセンブリ８０８、オーディオアセンブリ８１０、入力/出力（Ｉ/Ｏ）インターフェース８１２、センサアセンブリ８１４、および通信アセンブリ８１６のうちの１つまたは複数を含んでもよい。
【００６８】
プロセッサアセンブリ８０２は、通常では装置８００の全体的操作、例えば表示、電話呼出、データ通信、カメラ動作や記憶動作に関する動作を制御する。プロセッサアセンブリ８０２は、上記いずれかの実施例で提供される方法の全てまたは一部のステップを完成させるコマンドを実行する１つまたは複数のプロセッサ８２０を含んでもよい。また、プロセッサアセンブリ８０２は、プロセッサアセンブリ８０２と別のアセンブリとの間のインタラクションを処理するための１つまたは複数のモジュールを含んでもよい。例えば、プロセッサアセンブリ８０２は、マルチメディアアセンブリ８０８とプロセッサアセンブリ８０２との間のインタラクションを処理するためのマルチメディアモジュールを含んでもよい。
【００６９】
メモリ８０４は、装置８００における動作をサポートする各種のデータを記憶するように構成されている。これらのデータは、例えば、装置８００において動作する、いかなるアプリケーションまたは方法のコマンドや、連絡先データ、電話帳データ、メッセージ、画像、映像などを含む。メモリ８０４は、ＳＲＡＭ（Ｓｔａｔｉｃ  Ｒａｎｄｏｍ  Ａｃｃｅｓｓ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＰＲＯＭ（Ｐｒｏｇｒａｍｍａｂｌｅ  ＲＯＭ）、ＲＯＭ（Ｒｅａｄ  Ｏｎｌｙ  Ｍｅｍｏｒｙ）、磁気メモリ、フラッシュメモリ、磁気ディスク若しくは光ディスクなど、いかなるタイプの揮発性若しくは非揮発性の記憶デバイス、またはこれらの組み合わせにより実現され得る。
【００７０】
電源アセンブリ８０６は、装置８００の各アセンブリに給電するためのものである。電源アセンブリ８０６は、電源管理システムと、１つまたは複数の電源と、装置８００のために電力の生成、管理及び分配を行う関連のアセンブリと、を含んでもよい。
【００７１】
マルチメディアアセンブリ８０８は、前記装置８００とユーザとの間で出力インターフェースを提供するスクリーンを含む。一部の実施例において、スクリーンは、液晶ディスプレイ（ＬＣＤ）やタッチパネル（ＴＰ）を含んでもよい。スクリーンは、タッチパネルを含む場合、ユーザからの入力信号を受付けるタッチスクリーンとして実現されてもよい。タッチパネルは、タッチ、スライド、及びタッチパネル上のジェスチャを検出するための１つまたは複数のタッチセンサを含む。前記タッチセンサは、タッチ或いはスライド動作のエッジだけではなく、前記タッチ或いはスライド動作に関する継続時間及び圧力も検出できる。一部の実施例において、マルチメディアアセンブリ８０８は、１つのフロントカメラ及び／又はリアーカメラを含む。装置８００が例えば撮影モード或いは映像モード等の動作モードである場合には、フロントカメラ及び／又はリアーカメラは、外部からのマルチメディアデータを受信することができる。フロントカメラおよびリアーカメラのそれぞれは、１つの固定された光レンズ系、或いは可変な焦点距離および光学ズーム機能を有するものであってもよい。
【００７２】
オーディオアセンブリ８１０は、オーディオ信号を入力／出力するように構成されている。例えば、オーディオアセンブリ８１０は、装置８００が呼出モード、記録モード及び音声認識モード等のような動作モードであるときに外部のオーディオ信号を受信するように構成されたマイク（ＭＩＣ）を含む。受信されたオーディオ信号は、さらにメモリ８０４に記憶されるか、通信アセンブリ８１６を介して送信されてもよい。一部の実施例において、オーディオアセンブリ８１０は、オーディオ信号を出力するためのスピーカーをさらに含む。
【００７３】
Ｉ／Ｏインターフェース８１２は、プロセッサアセンブリ８０２と周辺インターフェースモジュールとの間のインターフェースを提供するものである。上記周辺インターフェースモジュールは、キーボード、クリックホイール、ボタン等であってもよい。これらのボタンは、ホームボタン、音量ボタン、起動ボタン、ロッキングボタンを含んでもよいが、これらに限定されない。
【００７４】
センサアセンブリ８１４は、装置８００の各方面の状態評価に供するための１つまたは複数のセンサを含む。例えば、センサアセンブリ８１４は、装置８００のＯＮ／ＯＦＦ状態や、装置８００における例えばディスプレイやテンキーパッドのようなアセンブリの相対的位置を検出できる。また、センサアセンブリ８１４は、装置８００や装置８００におけるアセンブリの位置変化、ユーザと装置８００との接触の有無、装置８００の方位若しくは加速／減速、および装置８００の温度変化も検出できる。センサアセンブリ８１４は、いかなる物理的接触も無い場合に周囲物体の存在を検出するように構成された接近センサを含んでもよい。さらに、センサアセンブリ８１４は、画像生成アプリケーションに用いられるＣＭＯＳ又はＣＣＤ画像センサのような光センサを含んでもよい。一部の実施例において、該センサアセンブリ８１４は、さらに加速度センサ、ジャイロスコープセンサ、磁気センサ、圧力センサ、及び温度センサを含んでもよい。
【００７５】
通信アセンブリ８１６は、装置８００と他の機器との間で有線又は無線方式の通信を提供するように構成される。装置８００は、例えばＷｉＦｉ、２Ｇ、３Ｇまたはそれらの組み合わせのような通信規格に基づく無線ネットワークに接続されてもよい。例示的な一実施例において、通信アセンブリ８１６は、ブロードキャストチャネルを介して、外部のブロードキャスト管理システムからのブロードキャスト信号、又はブロードキャストに関する情報を受信する。また、例示的な一実施例において、前記通信アセンブリ８１６は、近距離通信を促進するための近距離無線通信（ＮＦＣ）モジュールをさらに含む。ＮＦＣモジュールは、例えばＲＦＩＤ（Ｒａｄｉｏ  Ｆｒｅｑｕｅｎｃｙ  ＩＤｅｎｔｉｆｉｃａｔｉｏｎ）技術、ＩｒＤＡ（Ｉｎｆｒａｒｅｄ  Ｄａｔａ  Ａｓｓｏｃｉａｔｉｏｎ）技術、ＵＷＢ（Ｕｌｔｒａ  Ｗｉｄｅ  Ｂａｎｄ）技術、ＢＴ（Ｂｌｕｅｔｏｏｔｈ）技術や、他の技術に基づいて実現されてもよい。
【００７６】
例示的な一実施例において、装置８００は、１つまたは複数のＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＤＳＰ（Ｄｉｇｉｔａｌ  Ｓｉｇｎａｌ  Ｐｒｏｃｅｓｓｏｒ）、ＤＳＰＤ（Ｄｉｇｉｔａｌ  Ｓｉｇｎａｌ  Ｐｒｏｃｅｓｓｉｎｇ  Ｄｅｖｉｃｅ）、ＰＬＤ（Ｐｒｏｇｒａｍｍａｂｌｅ  Ｌｏｇｉｃ  Ｄｅｖｉｃｅ）、ＦＰＧＡ（Ｆｉｅｌｄ−Ｐｒｏｇｒａｍｍａｂｌｅ  Ｇａｔｅ  Ａｒｒａｙ）、コントローラ、マイクロコントローラ、マイクロプロセッサ、または他の電子デバイスによって実現されるものであり、上記いずれかの実施例で提供される方法を実行する。
【００７７】
また、例示的な一実施例において、コマンドを含んだ一時的でないコンピュータ読み取り可能な記憶媒体として、例えば装置８００のプロセッサ８２０により実行されることで、上記いずれかの実施例で提供される方法を完成させるようなコマンドを含んだメモリ８０４をさらに提供する。前記一時的でないコンピュータ読み取り可能な記憶媒体は、例えば、ＲＯＭ、ＲＡＭ（Ｒａｎｄｏｍ−Ａｃｃｅｓｓ  Ｍｅｍｏｒｙ）、ＣＤ−ＲＯＭ（Ｃｏｍｐａｃｔ  Ｄｉｓｃ  ＲＯＭ）、磁気テープ、フロッピーディスクおよび光学データ記憶機器等である。
【００７８】
一時的でないコンピュータ読み取り可能な記憶媒体に含まれた上記コマンドがモバイル端末のプロセッサにより実行されることで、該モバイル端末は、上記いずれかの方法を実行することが可能となる。
【００７９】
本実施例で提供される上記一時的でないコンピュータ読み取り可能な記憶媒体によれば、無線ＬＡＮへのアクセスを要求するとき、自機とルータとの間で低密度パリティ検査符号（ＬＤＰＣ）符号化−復号化方式を用いて通信するか否かを検出し、自機と前記ルータとの間でＬＤＰＣ符号化−復号化方式を用いて通信することが確定できたときに、前記ルータとの接続の構築を停止すると共に、スマート機器から前記ルータを介して前記無線ＬＡＮにアクセスするための前記無線ＬＡＮの情報を、非ＬＤＰＣ符号化−復号化方式でブロードキャストする。これにより、ＬＤＰＣ符号化機能を備えないスマート機器でもルータを介して無線ＬＡＮにアクセスすることが可能となり、スマート機器が受信したＬＤＰＣ符号化方式のブロードキャスト報知メッセージを識別できないためにアクセスが失敗することを回避できる。
【００８０】
なお、当業者は、本明細書に開示された発明内容を参照し実施することにより、本発明の他の実施形態を容易に見出せる。本願は、本発明のいかなる変形、用途、又は順応的な変化を包含することが意図されている。当該いかなる変形、用途、又は順応的な変化は、本発明の一般的原理に従うものであり、且つ本明細書に開示されていない本技術分野における公知常識や慣用の技術的手段を含む。明細書及び実施例は、あくまでも例示的なものであると理解されるべきである。本発明の真正の保護範囲および精神は、添付される特許請求の範囲により特定される。
【００８１】
また、本発明は、上記の記載と共に図示された構成に限定されるものではなく、本発明の範囲を逸脱しない限り、様々な改修又は変更が行えることが理解されるべきである。本発明の範囲は、添付される特許請求の範囲のみにより規定される。 
【図１】
0006371474.tif 000002
【図２】
0006371474.tif 000003
【図３】
0006371474.tif 000004
【図４】
0006371474.tif 000005
【図５】
0006371474.tif 000006
【図６】
0006371474.tif 000007
【図７】
0006371474.tif 000008
【図８】
0006371474.tif 000009
【図９】
0006371474.tif 000010
【図１０】
0006371474.tif 000011